(57)【要約】【課題】各々波長成分の異なる複数の光を順次原稿に照射して各色の画像の読み取りを行っても、読み取った各色の画像の画像データ間での位置ずれを少なくする。【解決手段】光照射部２１Ａ，２１Ｂ、レンズ２２および光電変換素子を原稿２に対して相対的に移動させ、光照射部２１Ａ，２１Ｂから赤色光が照射されると、原稿２の画像は、等倍の正立像を結像するレンズ２２を介して、行列で配置された光電変換素子のうち１行目から３行目の光電変換素子で読み取られる。次に、光照射部２１Ａ，２１Ｂから緑色光が照射されると、原稿２の画像は、レンズ２２を介して、行列で配置された光電変換素子のうち２行目から４行目の光電変換素子で読み取られる。次に、光照射部２１Ａ，２１Ｂから青色光が照射されると、原稿２の画像は、レンズ２２を介して、行列で配置された光電変換素子のうち３行目から５行目の光電変換素子で読み取られる。【選択図】図１０
2011055266.tif 000002
【特許請求の範囲】
【請求項１】
照射する光の波長成分が各々異なる複数の光源を有し、光を照射する前記光源が順次切り替えられる光照射部と、
前記光照射部から照射されて記録媒体で反射した反射光を透過して前記記録媒体に形成されている画像の等倍の正立像を結像し、前記記録媒体に形成されている画像を読み取る際の主走査方向に長手方向を有するレンズと、
光電変換素子が前記記録媒体の画像を読み取る際の副走査方向に複数行で配置され、且つ、前記光電変換素子が前記主走査方向に複数列で配置され、前記レンズを透過した前記反射光を前記配置された光電変換素子で受光する受光部と、
前記光照射部において光を照射した光源に応じて、複数行複数列で配置された前記光電変換素子を行単位で選択する選択部と、
前記選択部で選択された光電変換素子から出力される信号に基づいて、前記記録媒体に形成されている画像に応じた画像データを生成する画像生成部と、
前記光照射部と、前記レンズと、前記受光部を前記記録媒体に対して相対的に前記副走査方向へ移動させる駆動部と
を有する画像読取装置。
【請求項２】
照射する光の波長成分が各々異なる複数の光源を有し、光を照射する前記光源が順次切り替えられる光照射部と、
前記光照射部から照射されて記録媒体で反射した反射光を透過して前記記録媒体に形成されている画像の等倍の正立像を結像し、前記記録媒体に形成されている画像を読み取る際の主走査方向に長手方向を有するレンズと、
光電変換素子が前記記録媒体の画像を読み取る際の副走査方向に複数行で配置され、且つ、前記光電変換素子が前記主走査方向に複数列で配置され、前記レンズを透過した前記反射光を前記配置された光電変換素子で受光する受光部と、
前記光照射部において光を照射した光源に応じて、複数行複数列で配置された前記光電変換素子を行単位で選択する選択部と、
前記選択部で選択された光電変換素子から出力される信号に基づいて、前記記録媒体に形成されている画像に応じた画像データを生成する画像生成部と、
前記光照射部と、前記レンズと、前記受光部に対して前記記録媒体を相対的に前記副走査方向へ移動させる移動部と
を有する画像読取装置。
【請求項３】
前記光源の種類は４種類であり、前記各光源は可視光を照射することを特徴とする請求項１または請求項２に記載の画像読取装置。
【請求項４】
前記光源のうち少なくとも一つの光源は紫外光を照射することを特徴とする請求項１または請求項２に記載の画像読取装置。
【請求項５】
前記光源のうち少なくとも一つの光源は赤外光を照射することを特徴とする請求項１または請求項２に記載の画像読取装置。
【発明の詳細な説明】
【技術分野】
【０００１】
本発明は、画像読取装置に関する。
【背景技術】
【０００２】
色ずれの少ないカラー画像データを得る装置として、例えば特許文献１、２に開示された装置がある。
特許文献１開示された装置は、読み取った１ライン分の赤、緑、青の画像データの各々を、（当該ラインの画像データに所定の係数を乗じた値）＋（当該ラインの直前及び直後のラインの画像データに所定の係数を乗じた値）に置換することにより各色の画像データ間の位置ずれを補正する。
【０００３】
特許文献２に開示された装置は、赤の光を透過するフィルタ、赤＋緑の光を透過するフィルタ、赤＋緑＋青の光を透過するフィルタ、緑＋青の光を透過するフィルタ、および青の光を透過するフィルタを副走査方向に並べた光学フィルタを受光素子の近傍に備えている。また、この装置は、原稿で反射した光を、正立像を結像可能なレンズを介して光学フィルタに案内する。
この装置において原稿に赤の光を照射すると、原稿で反射した光のうち、赤の光を透過するフィルタ、赤＋緑の光を透過するフィルタおよび赤＋緑＋青の光を透過するフィルタを通った光が受光素子で受光され、１ライン分の赤の画像データを得ることができる。
次に、原稿を１／３画素分だけ移動させて緑の光を照射すると、原稿で反射した光のうち、赤＋緑の光を透過するフィルタ、赤＋緑＋青の光を透過するフィルタおよび緑＋青の光を透過するフィルタを通った光が受光素子で受光され、１ライン分の緑の画像データを得ることができる。ここで、フィルタを透過した光は、赤の光が反射した位置と同じ位置で反射した光であるため、読み取った赤の画像と緑の画像との間でずれが抑えられる。
次に、原稿を１／３画素分だけ移動させて青の光を照射すると、原稿で反射した光のうち、赤＋緑＋青の光を透過するフィルタ、緑＋青の光を透過するフィルタおよび青の光を透過するフィルタを通った光が受光素子で受光され、１ライン分の青の画像データを得ることができる。ここで、フィルタを透過した光は、赤および緑の光が反射した位置と同じ位置で反射した光であるため、読み取った赤の画像と緑の画像との間でずれが抑えられる。
【先行技術文献】
【特許文献】
【０００４】
【特許文献２】特開２００２−１４２１２２号公報
【特許文献３】特開２００９−１２４５５４号公報
【発明の概要】
【発明が解決しようとする課題】
【０００５】
本発明は、各々波長成分の異なる複数の光を順次原稿に照射して各色の画像の読み取りを行っても、読み取った各色の画像の画像データ間での位置ずれを少なくする技術を提供することを目的とする。
【課題を解決するための手段】
【０００６】
本発明の請求項１に係る画像読取装置は、照射する光の波長成分が各々異なる複数の光源を有し、光を照射する前記光源が順次切り替えられる光照射部と、前記光照射部から照射されて記録媒体で反射した反射光を透過して前記記録媒体に形成されている画像の等倍の正立像を結像し、前記記録媒体に形成されている画像を読み取る際の主走査方向に長手方向を有するレンズと、光電変換素子が前記記録媒体の画像を読み取る際の副走査方向に複数行で配置され、且つ、前記光電変換素子が前記主走査方向に複数列で配置され、前記レンズを透過した前記反射光を前記配置された光電変換素子で受光する受光部と、前記光照射部において光を照射した光源に応じて、複数行複数列で配置された前記光電変換素子を行単位で選択する選択部と、前記選択部で選択された光電変換素子から出力される信号に基づいて、前記記録媒体に形成されている画像に応じた画像データを生成する画像生成部と、前記光照射部と、前記レンズと、前記受光部を前記記録媒体に対して相対的に前記副走査方向へ移動させる駆動部とを有する。
【０００７】
本発明の請求項２に係る画像読取装置は、照射する光の波長成分が各々異なる複数の光源を有し、光を照射する前記光源が順次切り替えられる光照射部と、前記光照射部から照射されて記録媒体で反射した反射光を透過して前記記録媒体に形成されている画像の等倍の正立像を結像し、前記記録媒体に形成されている画像を読み取る際の主走査方向に長手方向を有するレンズと、光電変換素子が前記記録媒体の画像を読み取る際の副走査方向に複数行で配置され、且つ、前記光電変換素子が前記主走査方向に複数列で配置され、前記レンズを透過した前記反射光を前記配置された光電変換素子で受光する受光部と、前記光照射部において光を照射した光源に応じて、複数行複数列で配置された前記光電変換素子を行単位で選択する選択部と、前記選択部で選択された光電変換素子から出力される信号に基づいて、前記記録媒体に形成されている画像に応じた画像データを生成する画像生成部と、前記光照射部と、前記レンズと、前記受光部に対して前記記録媒体を相対的に前記副走査方向へ移動させる移動部とを有する。
【０００８】
本発明の請求項３に係る画像読取装置は、請求項１または請求項２に記載の画像読取装置において、前記光源の種類は４種類であり、前記各光源は可視光を照射すること特徴とする。
【０００９】
本発明の請求項４に係る画像読取装置は、請求項１または請求項２に記載の画像読取装置において、前記光源のうち少なくとも一つの光源は紫外光を照射することを特徴とする。
【００１０】
本発明の請求項５に係る画像読取装置は、請求項１または請求項２に記載の画像読取装置において、前記光源のうち少なくとも一つの光源は赤外光を照射することを特徴とする。
【発明の効果】
【００１１】
本発明の請求項１に係る発明によれば、各々波長の異なる複数の光を順次記録媒体に照射して画像の読み取りを行っても、読み取った画像の画像データ間での位置ずれを少なくできる。
本発明の請求項２に係る発明によれば、各々波長の異なる複数の光を順次記録媒体に照射して画像の読み取りを行っても、読み取った画像の画像データ間での位置ずれを少なくできる。
本発明の請求項３に係る発明によれば、本発明の構成を備えていないものと比較して、記録媒体に形成されている画像に忠実な色情報を有する画像データを得ることができる。
本発明の請求項４に係る発明によれば、紫外光を吸収する画像、あるいは、紫外光を吸収して可視の蛍光を発生する画像が形成されている記録媒体から当該画像の画像データを得ることができる。
本発明の請求項５に係る発明によれば、赤外光を吸収する画像が形成されている記録媒体から当該画像の画像データを得ることができる。
【図面の簡単な説明】
【００１２】
【図１】本発明の一実施形態に係る画像読取装置１の模式図。
【図２】画像読取装置１のハードウェア構成を示したブロック図。
【図３】読取部２０にある部材の位置関係の模式図。
【図４】受光部２３の模式図。
【図５】選択部２５の構成を示した図。
【図６】制御部１０が行う処理の流れを示したフローチャート。
【図７】制御部１０が行う処理の流れを示したフローチャート。
【図８】制御部１０が行う処理の流れを示したフローチャート。
【図９】制御部１０が行う処理の流れを示したフローチャート。
【図１０】第１実施形態の動作を説明するための図。
【図１１】第１実施形態の動作を説明するための図。
【図１２】第１実施形態の動作を説明するための図。
【図１３】第２実施形態に係る受光部２３の模式図。
【図１４】第２実施形態に係る選択部２５の構成を示した図。
【図１５】第２実施形態の動作を説明するための図。
【図１６】第２実施形態の動作を説明するための図。
【図１７】第２実施形態の動作を説明するための図。
【図１８】第３実施形態に係る受光部２３の模式図。
【図１９】第３実施形態に係る選択部２５の構成を示した図。
【図２０】第３実施形態に係る制御部１０が行う処理の流れを示したフローチャート。
【図２１】第３実施形態の動作を説明するための図。
【図２２】第３実施形態の動作を説明するための図。
【図２３】第３実施形態の動作を説明するための図。
【図２４】第３実施形態の動作を説明するための図。
【図２５】第３実施形態に係る制御部１０が行う処理の流れを示したフローチャート。
【発明を実施するための形態】
【００１３】
［第１実施形態］
（実施形態の構成）
図１は、本発明の一実施形態に係る画像読取装置１において画像の読み取りに関係する部分を模式的に示した図であり、図２は、画像読取装置１のハードウェア構成を示したブロック図である。
画像読取装置１は、記録媒体である原稿２に形成された文字や図形などの画像を読み取り、読み取った画像の画像データを生成する所謂スキャナーであり、原稿２が載せられる透明なガラス板４と、原稿２を押さえる押さえ板５を筐体３の上面側に有している。また、画像読取装置１は、筐体３の内部に原稿２の画像を読み取るモジュールの一例である読取部２０を有している。
【００１４】
読取部２０は、光照射部２１Ａ、２１Ｂ、レンズ２２、受光部２３、およびこれらの部材を支持するフレーム２４で構成されている。
図３は、読取部２０にある光照射部２１Ａ、２１Ｂ、レンズ２２、受光部２３の位置関係を模式的に示した図であり、同図に示したように光照射部２１Ａ、２１Ｂは、レンズ２２を挟んで主走査方向に沿って位置しており、受光部２３は、レンズ２２の下方に位置している。なお、図３においては、フレーム２４の図示を省略している。
【００１５】
光照射部２１Ａ、２１Ｂは、照射する光において強度が最も大きい光の波長（ピーク波長）が各々異なる３種類の発光ダイオード（光源）を有している。具体的には、赤色光を照射する発光ダイオードと、緑色光を照射する発光ダイオードと、青色光を照射する発光ダイオードの各々を複数有しており、画像を読み取る際の主走査方向に沿って各色の発光ダイオードが繰り返し同じ順番に並べられている。光照射部２１Ａ、２１Ｂから照射された光は、ガラス板４に載せられた原稿２に照射され、原稿２で反射する。
レンズ２２は、複数の円柱形状のロッドレンズを主走査方向に並べたレンズである。光照射部２１Ａ、２１Ｂから照射されて原稿２で反射した光は、レンズ２２を通って受光部２３に案内され、原稿２にある画像の等倍の正立像が受光部２３にて結像する。
受光部２３は、光を電気信号に変換する光電変換素子を主走査方向に複数並べた構造となっており、レンズ２２によって光電変換素子に案内された光を電気信号に変換する。
【００１６】
図４は、受光部２３の模式図である。同図に示したように受光部２３においては、板状の基板２３２上に複数のセンサ基板２３０が主走査方向に並べられている。また、図４においては、センサ基板２３０を拡大して示しており、ここで示したように各センサ基板２３０においては、複数の光電変換素子が主走査方向と副走査方向に沿って５行ｎ列（ｎは整数）で配置されている。
なお、図４においては、１行目に配置されている光電変換素子２３１−１１、２３１−２１、・・・、２３１−ｎ１は、符号の枝番の末尾を１としており、２行目に配置されている光電変換素子２３１−１２、２３１−２２、・・・、２３１−ｎ２は、符号の枝番の末尾を２としている。また、同様に、３行目に配置されている光電変換素子は、符号の枝番の末尾を３とし、４行目に配置されている光電変換素子は、符号の枝番の末尾を４とし、５行目に配置されている光電変換素子は、符号の枝番の末尾を５としている。
また、本実施形態においては、各光電変換素子の構成は同じであるため、個々の光電変換素子を区別して説明する必要がない場合は、光電変換素子２３１と称する。
【００１７】
なお、本実施形態においては、５行ｎ列で光電変換素子２３１が並べられているが、ｎの値は、設計により任意の値にすることができる。また、本実施形態においては、光電変換素子２３１は、ＣＭＯＳ（Complementary Metal Oxide Semiconductor）イメージセンサであり、光電変換素子２３１の主走査方向の長さは４２．３μｍであり、副走査方向の長さは１４．１μｍとなっている。ここで、主走査方向の４２．３μｍという長さは、画像を読み取る際の解像度を６００ｄｐｉ（dot per inch）とした時の約１画素の長さであり、副走査方向の１４．１μｍという長さは、６００ｄｐｉの１画素の約１／３の長さである。
【００１８】
次に図５は、画像の読み取りに係る光電変換素子２３１を選択する選択部の一例である選択部２５の構成を示した図である。
スイッチ２４０−１〜２４０−５は、光電変換素子２３１とシフトレジスタ２４１とを接続するスイッチであり、制御部１０によって開閉が行われる。なお、図５に示したように、センサ基板２３０において１行目に配置されている光電変換素子２３１に接続されているスイッチは、符号の枝番を１としており、２行目に配置されている光電変換素子２３１に接続されているスイッチは、符号の枝番を２としている。また、センサ基板２３０において３行目に配置されている光電変換素子２３１に接続されているスイッチは、符号の枝番を３とし、４行目に配置されている光電変換素子２３１に接続されているスイッチは、符号の枝番を４とし、５行目に配置されている光電変換素子２３１に接続されているスイッチは、符号の枝番を５としている。
シフトレジスタ２４１は、アナログ信号を保持するシフトレジスタである。シフトレジスタ２４１は、光電変換素子２３１から出力された信号を保持し、制御部１０の制御の下、蓄積した信号を画像処理部５０へ出力する。
【００１９】
次に、図２に示した制御部１０は、ＣＰＵ（Central Processing Unit）、ＲＯＭ（Read Only Memory）およびＲＡＭ（Random Access Memory）などを具備している。画像読取装置１の電源が入れられると、ＣＰＵはＲＯＭに記憶されている制御プログラムに従って動作し、画像読取装置１の各部の制御を行う。なお、図２に示したように、制御部１０、読取部２０、操作部３０、駆動部４０および画像処理部５０は、バス１１に接続されており、バス１１を介して各部間でデータや信号の授受を行う。
操作部３０は、画像読取装置１を操作するための複数のキーを有している。制御部１０は、操作部３０において押下されたキーを検知し、押下されたキーに応じて各部の制御を行う。
駆動部４０は、読取部２０を副走査方向へ移動させる機構を有しており、制御部１０の制御の下、読取部２０を副走査方向へ移動させる。
画像処理部５０は、シフトレジスタ２４１から供給される電気信号に基づいて原稿２に形成されている画像を生成する画像生成部の一例であり、生成した画像から原稿２に形成されている画像を表す画像データを生成する機能を備えている。
インターフェース部６０は、ＰＣ（Personal Computer）などのコンピュータ装置とデータや信号の授受を行う機能を備えており、画像処理部５０で生成された画像データを、インターフェース部６０とＰＣを接続する通信ケーブルを介してＰＣへ出力する。
【００２０】
（実施形態の動作）
次に、本実施形態の動作について説明する。まず、ユーザが、原稿２をガラス板４に載せて押さえ板５で原稿２を押さえた後、操作部３０を操作して画像の読み取りを指示する操作を行うと、制御部１０が駆動部４０を制御し、読取部２０を画像の読み取りの開始位置に移動させる（図６：ステップＳＡ１）。制御部１０は、読取部２０が画像の読み取りの開始位置に移動すると、読取部２０を副走査方向へ移動させつつ、光照射部２１Ａ、２１Ｂと、スイッチ２４０−１〜２４０−５およびシフトレジスタ２４１を制御し、原稿２に形成されている画像を読み取る。
【００２１】
具体的には、まず制御部１０は、駆動部４０を制御して読取部２０の副走査方向への移動を開始した後（ステップＳＡ２）、赤色光による画像の読み取りを行う（ステップＳＡ３）。ここで制御部１０は、スイッチ２４０−１〜２４０−３を閉とし、スイッチ２４０−４とスイッチ２４０−６を開とする（ステップＳＢ１）。すると、各センサ基板２３０にある５行ｎ列の光電変換素子２３１のうち、１行目から３行目の光電変換素子２３１（符号の枝番の末尾が１〜３の光電変換素子）がシフトレジスタ２４１に接続され、１行目から３行目の光電変換素子２３１が画像の読み取りに係る光電変換素子として選択される。また、制御部１０は、シフトレジスタ２４１を制御してシフトレジスタ２４１をリセットする（ステップＳＢ２）。
【００２２】
次に、制御部１０は、光照射部２１Ａと光照射部２１Ｂを制御して赤色光を照射する発光ダイオードのみを点灯させる（ステップＳＢ３）。すると、発光ダイオードから照射された赤色光が原稿２に到達し、原稿２で反射した赤色光がレンズ２２に到達する。ここでレンズ２２は、等倍の正立像を結像するレンズであるため、図１０に示したように、１行目から３行目の光電変換素子２３１にて結像するのは、レンズ２２を挟んで１行目から３行目の光電変換素子２３１に対向する位置にある画像（図１０において黒で塗りつぶされた部分）となる。なお、１つの光電変換素子２３１の副走査方向の幅は約１／３画素分であるため、１行目から３行目の光電変換素子２３１においては、６００ｄｐｉの約１ライン分の画像が結像されている。
【００２３】
１行目から３行目の光電変換素子２３１に赤色光が到達すると、赤色光が到達した光電変換素子２３１は、光を電気信号に変換して出力する。ここで、１行目の各光電変換素子２３１から出力された電気信号は、スイッチ２４０−１を介してシフトレジスタ２４１に入力される。また、２行目の各光電変換素子２３１から出力された電気信号は、スイッチ２４０−２を介してシフトレジスタ２４１に入力され、３行目の各光電変換素子２３１から出力された電気信号は、スイッチ２４０−３を介してシフトレジスタ２４１に入力される。シフトレジスタ２４１に入力された電気信号は、シフトレジスタ２４１において保持される。
【００２４】
制御部１０は、赤色光を照射する発光ダイオードを点灯させてから予め定められた時間が経過すると、赤色光を照射する発光ダイオードを消灯させる（ステップＳＢ４）。次に制御部１０は、シフトレジスタ２４１を制御し、シフトレジスタ２４１に保持されている各光電変換素子からの電気信号を画像処理部５０へ出力させる（ステップＳＢ５）。シフトレジスタ２４１から出力された電気信号が画像処理部５０に入力されると、画像処理部５０は、入力された電気信号をデジタル化して副走査方向の１ライン目の赤の成分の画像データを生成する。
【００２５】
次に制御部１０は、緑色光による画像の読み取りを行う（ステップＳＡ４）。ここで、制御部１０は、スイッチ２４０−２〜２４０−４を閉とし、スイッチ２４０−１とスイッチ２４０−５を開とする（ステップＳＣ１）。すると、センサ基板２３０にある光電変換素子２３１のうち、２行目から４行目の光電変換素子２３１（符号の枝番の末尾が２〜４の光電変換素子）がシフトレジスタ２４１に接続され、２行目から４行目の光電変換素子２３１が画像の読み取りに係る光電変換素子として選択される。また、制御部１０は、シフトレジスタ２４１をリセットする（ステップＳＣ２）。
【００２６】
次に制御部１０は、読取部２０が赤色光を照射する発光ダイオードの点灯を開始した時の位置から副走査方向へ１／３画素分移動すると、光照射部２１Ａと光照射部２１Ｂを制御して緑色光を照射する発光ダイオードのみを点灯させる（ステップＳＣ３）。すると、発光ダイオードから照射された緑色光が原稿２に到達し、原稿２で反射した緑色光がレンズ２２に到達する。ここでレンズ２２は、等倍の正立像を結像するレンズであるため、図１１に示したように、２行目から４行目の光電変換素子２３１にて結像するのは、レンズ２２を挟んで２行目から４行目の光電変換素子２３１に対向する位置にある画像（図１１において黒で塗りつぶされた部分）となる。
なお、１つの光電変換素子２３１の副走査方向の幅は約１／３画素分であるため、２行目から４行目の光電変換素子２３１においては、６００ｄｐｉの約１ライン分の画像が結像されている。また、読取部２０は、赤色光が原稿２に照射された時より副走査方向へ１／３画素分移動しているため、２行目から４行目の光電変換素子２３１においては、赤色光で読み取った部分の画像と同じ部分の画像が結像する。
【００２７】
２行目から４行目の光電変換素子２３１に緑色光が到達すると、緑色光が到達した光電変換素子２３１は、光を電気信号に変換して出力する。ここで、２行目の各光電変換素子２３１から出力された電気信号は、スイッチ２４０−２を介してシフトレジスタ２４１に入力される。また、３行目の各光電変換素子２３１から出力された電気信号は、スイッチ２４０−３を介してシフトレジスタ２４１に入力され、４行目の各光電変換素子２３１から出力された電気信号は、スイッチ２４０−４を介してシフトレジスタ２４１に入力される。シフトレジスタ２４１に入力された電気信号は、シフトレジスタ２４１において保持される。
【００２８】
制御部１０は、緑色光を照射する発光ダイオードを点灯させてから予め定められた時間が経過すると、緑色光を照射する発光ダイオードを消灯させる（ステップＳＣ４）。次に制御部１０は、シフトレジスタ２４１を制御し、シフトレジスタ２４１に保持されている各光電変換素子からの電気信号を画像処理部５０へ出力させる（ステップＳＣ５）。シフトレジスタ２４１から出力された電気信号が画像処理部５０に入力されると、画像処理部５０は、入力された電気信号をデジタル化して副走査方向の１ライン目の緑の成分の画像データを生成する。
【００２９】
次に制御部１０は、青色光による画像の読み取りを行う（ステップＳＡ５）。ここで制御部１０は、スイッチ２４０−３〜２４０−５を閉とし、スイッチ２４０−１とスイッチ２４０−２を開とする（ステップＳＤ１）。すると、センサ基板２３０にある光電変換素子２３１のうち、３行目から５行目の光電変換素子２３１（符号の枝番の末尾が３〜５の光電変換素子）がシフトレジスタ２４１に接続され、３行目から５行目の光電変換素子２３１が画像の読み取りに係る光電変換素子として選択される。また、制御部１０は、シフトレジスタ２４１をリセットする（ステップＳＤ２）。
【００３０】
次に、制御部１０は、読取部２０が緑色光を照射する発光ダイオードの点灯を開始した時の位置から副走査方向へ１／３画素分移動すると、光照射部２１Ａと光照射部２１Ｂを制御して青色光を照射する発光ダイオードのみを点灯させる（ステップＳＤ３）。すると、発光ダイオードから照射された青色光が原稿２に到達し、原稿２で反射した青色光がレンズ２２に到達する。ここでレンズ２２は、等倍の正立像を結像するレンズであるため、図１２に示したように、３行目から５行目の光電変換素子２３１にて結像するのは、レンズ２２を挟んで３行目から５行目の光電変換素子２３１に対向する位置にある画像（図１２において黒で塗りつぶされた部分）となる。
なお、１つの光電変換素子２３１の副走査方向の幅は約１／３画素分であるため、３行目から５行目の光電変換素子２３１においては、６００ｄｐｉの約１ライン分の画像が結像されている。また、読取部２０は、緑色光が原稿２に照射された時より副走査方向へ１／３画素分移動しているため、３行目から５行目の光電変換素子２３１においては、緑色光で読み取った部分の画像と同じ部分の画像が結像する。
【００３１】
３行目から５行目の光電変換素子２３１に青色光が到達すると、青色光が到達した光電変換素子２３１は、光を電気信号に変換して出力する。ここで、３行目の各光電変換素子２３１から出力された電気信号は、スイッチ２４０−３を介してシフトレジスタ２４１に入力される。また、４行目の各光電変換素子２３１から出力された電気信号は、スイッチ２４０−４を介してシフトレジスタ２４１に入力され、５行目の各光電変換素子２３１から出力された電気信号は、スイッチ２４０−５を介してシフトレジスタ２４１に入力される。シフトレジスタ２４１に入力された電気信号は、シフトレジスタ２４１において保持される。
【００３２】
制御部１０は、青色光を照射する発光ダイオードを点灯させてから予め定められた時間が経過すると、青色光を照射する発光ダイオードを消灯させる（ステップＳＤ４）。次に制御部１０は、シフトレジスタ２４１を制御し、シフトレジスタ２４１に保持されている各光電変換素子からの電気信号を画像処理部５０へ出力させる。シフトレジスタ２４１から出力された電気信号が画像処理部５０に入力されると、画像処理部５０は、入力された電気信号をデジタル化し、副走査方向の１ライン目の青の成分の画像データを生成する。
【００３３】
制御部１０は、副走査方向の１ライン目の画像について、赤、緑、青の各色の成分で読み取りを終えると、読取部２０が画像の読み取りの終了位置に達するまで、ステップＳＡ３からステップＳＡ５までの処理を繰り返し、２ライン目以降の画像を読み取る。
そして、読取部２０が画像の読み取りの終了位置に到達すると（ステップＳＡ６；ＹＥＳ）、画像処理部５０においては、原稿２に形成されている画像について、赤の反射光で生成された画像データと、緑の反射光で生成された画像データと、青の反射光で生成された画像データとが保持された状態となる。
この後、通信ケーブルを介してインターフェース部６０に接続されているＰＣから画像データの送信指示が送られると、制御部１０は、保持されている画像データの出力を画像処理部５０に指示する。この指示を受けた画像処理部５０は、保持している画像データををインターフェース部６０へ出力する。インターフェース部６０は、画像処理部５０から画像データが供給されると、供給された画像データを通信ケーブルを介してＰＣへ出力する。
【００３４】
以上説明したように、本実施形態によれば、原稿２と読取部２０とが相対的に移動しても、赤色光を照射した時と、緑色光を照射した時と、青色光を照射した時とで同じ位置の画像を読み取れるので、読み取った画像データにおける位置ずれを少なくすることができる。
【００３５】
［第２実施形態］
次に、本発明の第２実施形態に係る画像読取装置１ついて説明する。なお、本実施形態に係る画像読取装置１は、光電変換素子２３１の配置と、選択部２５の構成、および画像読み取り時の動作が第１実施形態と異なり、これ以外については、第１実施形態と同じである。このため、第１実施形態と同じ構成については説明を省略し、以下、第１実施形態と異なる点について説明する。
【００３６】
図１３は、本実施形態に係る受光部２３の模式図である。同図に示したように受光部２３においては、板状の基板２３２上に複数のセンサ基板２３０Ａが主走査方向に並べられている。また、同図においては、センサ基板２３０Ａを拡大して示しており、ここで示したように各センサ基板２３０Ａにおいては、複数の光電変換素子２３１が主走査方向と副走査方向に沿って４行ｎ列（ｎは整数）で配置されている。
【００３７】
次に図１４は、本実施形態に係る選択部２５の構成を示した図である。スイッチ２４０−１〜２４０−４は、第１実施形態のスイッチ２４０−１〜２４０−４と同様に光電変換素子２３１とシフトレジスタ２４１とを接続するスイッチであり、制御部１０によって開閉が行われる。
【００３８】
（実施形態の動作）
次に、本実施形態の動作について説明する。
まず、ユーザが、原稿２をガラス板４に載せて押さえ板５で原稿２を押さえた後、操作部３０を操作して画像の読み取りを指示する操作を行うと、制御部１０が駆動部４０を制御し、読取部２０を画像の読み取りの開始位置に移動させる（図６：ステップＳＡ１）。制御部１０は、読取部２０が画像の読み取りの開始位置に移動すると、読取部２０を副走査方向へ移動させつつ、光照射部２１Ａ、２１Ｂと、スイッチ２４０−１〜２４０−４およびシフトレジスタ２４１を制御し、原稿２に形成されている画像を読み取る。
【００３９】
具体的には、まず制御部１０は、駆動部４０を制御して読取部２０の副走査方向への移動を開始した後（ステップＳＡ２）、赤色光による画像の読み取りを行う（ステップＳＡ３）。ここで制御部１０は、スイッチ２４０−１とスイッチ２４０−２を閉とし、スイッチ２４０−３とスイッチ２４０−４を開とする（ステップＳＢ１）。すると、各センサ基板２３０Ａにある４行ｎ列の光電変換素子２３１のうち、１行目と２行目の光電変換素子２３１（符号の枝番の末尾が１の光電変換素子と２の光電変換素子）がシフトレジスタ２４１に接続される。また、制御部１０は、シフトレジスタ２４１を制御してシフトレジスタ２４１をリセットする（ステップＳＢ２）。
【００４０】
次に、制御部１０は、光照射部２１Ａと光照射部２１Ｂを制御して赤色光を照射する発光ダイオードをのみ点灯させる（ステップＳＢ３）。すると、発光ダイオードから照射されて原稿２で反射した赤色光がレンズ２２に到達する。ここで図１５に示したように、１行目と２行目の光電変換素子２３１にて結像するのは、レンズ２２を挟んで１行目と２行目の光電変換素子２３１に対向する位置にある画像（図１５において黒で塗りつぶされた部分）となる。
【００４１】
赤色光が到達した１行目と２行目の光電変換素子２３１は、光を電気信号に変換して出力する。ここで、１行目の各光電変換素子２３１から出力された電気信号は、スイッチ２４０−１を介してシフトレジスタ２４１に入力される。また、２行目の各光電変換素子２３１から出力された電気信号は、スイッチ２４０−２を介してシフトレジスタ２４１に入力される。シフトレジスタ２４１に入力された電気信号は、シフトレジスタ２４１において保持される。
【００４２】
制御部１０は、赤色光を照射する発光ダイオードを点灯させてから予め定められた時間が経過すると、赤色光を照射する発光ダイオードを消灯させる（ステップＳＢ４）。次に制御部１０は、シフトレジスタ２４１を制御し、シフトレジスタ２４１に保持されている各光電変換素子からの電気信号を画像処理部５０へ出力させる（ステップＳＢ５）。シフトレジスタ２４１から出力された電気信号が画像処理部５０に入力されると、画像処理部５０は、入力された電気信号をデジタル化して副走査方向の１ライン目の赤の成分の画像データを生成する。
【００４３】
次に制御部１０は、緑色光による画像の読み取りを行う（ステップＳＡ４）。ここで、制御部１０は、スイッチ２４０−２とスイッチ２４０−３を閉とし、スイッチ２４０−１とスイッチ２４０−４を開とする（ステップＳＣ１）。すると、センサ基板２３０Ａにある光電変換素子２３１のうち、２行目と３行目の光電変換素子２３１（符号の枝番の末尾が２の光電変換素子と末尾が３の光電変換素子）がシフトレジスタ２４１に接続される。また、制御部１０は、シフトレジスタ２４１をリセットする（ステップＳＣ２）。
【００４４】
次に制御部１０は、読取部２０が赤色光を照射する発光ダイオードの点灯を開始した時の位置から副走査方向へ１／３画素分移動すると、光照射部２１Ａと光照射部２１Ｂを制御して緑色光を照射する発光ダイオードのみを点灯させる（ステップＳＣ３）。すると、原稿２で反射した緑色光がレンズ２２に到達する。ここでレンズ２２は、等倍の正立像を結像するレンズであるため、図１６に示したように、２行目と３行目の光電変換素子２３１にて結像するのは、レンズ２２を挟んで２行目と３行目の光電変換素子２３１に対向する位置にある画像（図１６において黒で塗りつぶされた部分）となる。
なお、１つの光電変換素子２３１の副走査方向の幅は約１／３画素分であり、読取部２０は、赤色光が原稿２に照射された時より副走査方向へ１／３画素分移動しているため、２行目と３行目の光電変換素子２３１においては、赤色光で読み取った部分の画像と同じ部分の画像が結像する。
【００４５】
緑色光が到達した２行目と３行目の光電変換素子２３１は、光を電気信号に変換して出力する。ここで、２行目の各光電変換素子２３１から出力された電気信号は、スイッチ２４０−２を介してシフトレジスタ２４１に入力される。また、３行目の各光電変換素子２３１から出力された電気信号は、スイッチ２４０−３を介してシフトレジスタ２４１に入力される。シフトレジスタ２４１に入力された電気信号は、シフトレジスタ２４１において保持される。
【００４６】
制御部１０は、緑色光を照射する発光ダイオードを点灯させてから予め定められた時間が経過すると、緑色光を照射する発光ダイオードを消灯させる（ステップＳＣ４）。次に制御部１０は、シフトレジスタ２４１を制御し、シフトレジスタ２４１に保持されている各光電変換素子からの電気信号を画像処理部５０へ出力させる（ステップＳＣ５）。シフトレジスタ２４１から出力された電気信号が画像処理部５０に入力されると、画像処理部５０は、入力された電気信号をデジタル化し、副走査方向の１ライン目の緑の成分の画像データを生成する。
【００４７】
次に制御部１０は、青色光による画像の読み取りを行う（ステップＳＡ５）。ここで制御部１０は、スイッチ２４０−３とスイッチ２４０−４を閉とし、スイッチ２４０−１とスイッチ２４０−２を開とする（ステップＳＤ１）。すると、センサ基板２３０Ａにある光電変換素子２３１のうち、３行目と４行目の光電変換素子２３１（符号の枝番の末尾が３の光電変換素子と、末尾が４の光電変換素子）がシフトレジスタ２４１に接続される。また、制御部１０は、シフトレジスタ２４１をリセットする（ステップＳＤ２）。
【００４８】
次に、制御部１０は、読取部２０が緑色光を照射する発光ダイオードの点灯を開始した時の位置から副走査方向へ１／３画素分移動すると、光照射部２１Ａと光照射部２１Ｂを制御して青色光を照射する発光ダイオードのみを点灯させる（ステップＳＤ３）。すると、原稿２で反射した青色光がレンズ２２に到達する。ここでレンズ２２は、等倍の正立像を結像するレンズであるため、図１７に示したように、３行目と４行目の光電変換素子２３１にて結像するのは、レンズ２２を挟んで３行目と４行目の光電変換素子２３１に対向する位置にある画像（図１７において黒で塗りつぶされた部分）となる。
なお、レンズ２２は、緑色光を照射した時より副走査方向へ１／３画素分移動しているため、３行目と４行目の光電変換素子２３１においては、緑色光で読み取った部分の画像と同じ部分の画像が結像する。
【００４９】
青色光が到達した３行目と４行目の光電変換素子２３１は、光を電気信号に変換して出力する。ここで、３行目の各光電変換素子２３１から出力された電気信号は、スイッチ２４０−３を介してシフトレジスタ２４１に入力される。また、４行目の各光電変換素子２３１から出力された電気信号は、スイッチ２４０−４を介してシフトレジスタ２４１に入力される。シフトレジスタ２４１に入力された電気信号は、シフトレジスタ２４１において保持される。
【００５０】
制御部１０は、青色光を照射する発光ダイオードを点灯させてから予め定められた時間が経過すると、青色光を照射する発光ダイオードを消灯させる（ステップＳＤ４）。次に制御部１０は、シフトレジスタ２４１を制御し、シフトレジスタ２４１に保持されている各光電変換素子からの電気信号を画像処理部５０へ出力させる（ステップＳＤ５）。シフトレジスタ２４１から出力された電気信号が画像処理部５０に入力されると、画像処理部５０は、入力された電気信号をデジタル化して副走査方向の１ライン目の青の成分の画像データを生成する。
【００５１】
制御部１０は、副走査方向の１ライン目の画像について、赤、緑、青の各色で読み取りを終えると、読取部２０が画像の読み取りの終了位置に達するまで、ステップＳＡ３からステップＳＡ５までの処理を繰り返し、２ライン目以降の画像を読み取る。
そして、読取部２０が画像の読み取りの終了位置に到達すると（ステップＳＡ６；ＹＥＳ）、画像処理部５０においては、原稿２に形成されている画像について、赤の反射光で生成された画像データと、緑の反射光で生成された画像データと、青の反射光で生成された画像データとが保持された状態となる。
【００５２】
以上説明したように、本実施形態おいても、原稿２と読取部２０とが相対的に移動しても、赤色光を照射した時と、緑色光を照射した時と、青色光を照射した時とで同じ位置の画像を読み取れるので、読み取った画像データにおける位置ずれを少なくすることができる。
また、本実施形態においては、画像の読み取りに使用する光電変換素子の数が第１実施形態と比較して少ないため、製造時のコストを抑えることができる。
【００５３】
［第３実施形態］
次に、本発明の第３実施形態に係る画像読取装置１ついて説明する。なお、本実施形態に係る画像読取装置１は、光照射部２１Ａ、２１Ｂの構成、光電変換素子２３１の配置、選択部２５の構成、および画像読み取り時の動作が第１実施形態と異なり、これ以外については、第１実施形態と同じである。このため、第１実施形態と同じ構成については説明を省略し、以下、第１実施形態と異なる点について説明する。
【００５４】
まず、本実施形態に係る光照射部２１Ａ、２１Ｂは、赤色光を照射する発光ダイオードと、緑色光を照射する発光ダイオードと、青色光を照射する発光ダイオードと、青緑の光を照射する発光ダイオードの各々を複数有しており、画像を読み取る際の主走査方向に沿って各色の発光ダイオードが繰り返し同じ順番に並べられている。
【００５５】
図１８は、本実施形態に係る受光部２３の模式図である。同図に示したように受光部２３においては、板状の基板２３２上に複数のセンサ基板２３０Ｂが主走査方向に並べられている。また、同図においては、センサ基板２３０Ｂを拡大して示しており、ここで示したように各センサ基板２３０Ｂにおいては、複数の光電変換素子２３１が主走査方向と副走査方向に沿って６行ｎ列（ｎは整数）で配置されている。なお、図１８においては、６行目に配置されている光電変換素子２３１は、符号の枝番の末尾を６としている。また、本実施形態においては光電変換素子２３１の副走査方向の長さは１０．５μｍとなっている。
【００５６】
次に図１９は、本実施形態に係る選択部２５の構成を示した図である。スイッチ２４０−１〜２４０−６は、光電変換素子２３１とシフトレジスタ２４１とを接続するスイッチであり、制御部１０によって開閉が行われる。なお、センサ基板２３０Ｂにおいて６行目に配置されている光電変換素子２３１に接続されるスイッチは、図１９において符号の枝番を６としている。
【００５７】
（実施形態の動作）
次に、本実施形態の動作について説明する。
まず、ユーザが、原稿２をガラス板４に載せて押さえ板５で原稿２を押さえた後、操作部３０を操作して画像の読み取りを指示する操作を行うと、制御部１０が駆動部４０を制御し、読取部２０を画像の読み取りの開始位置に移動させる（図２０：ステップＳＥ１）。制御部１０は、読取部２０が画像の読み取りの開始位置に移動すると、読取部２０を副走査方向へ移動させつつ、光照射部２１Ａ、２１Ｂと、スイッチ２４０−１〜２４０−６およびシフトレジスタ２４１を制御し、原稿２に形成されている画像を読み取る。
【００５８】
具体的には、まず制御部１０は、駆動部４０を制御して読取部２０の副走査方向への移動を開始した後（ステップＳＥ２）、赤色光による画像の読み取りを行う（ステップＳＥ３）。ここで制御部１０は、スイッチ２４０−１〜２４０−３を閉とし、スイッチ２４０−４〜２４０−６を開とする（図７：ステップＳＢ１）。すると、各センサ基板２３０Ｂにある６行ｎ列の光電変換素子２３１のうち、１行目から３行目の光電変換素子２３１（符号の枝番の末尾が１〜３の光電変換素子）がシフトレジスタ２４１に接続される。また、制御部１０は、シフトレジスタ２４１を制御してシフトレジスタ２４１をリセットする（ステップＳＢ２）。
【００５９】
次に、制御部１０は、光照射部２１Ａと光照射部２１Ｂを制御して赤色光を照射する発光ダイオードのみを点灯させる（ステップＳＢ３）。すると、原稿２で反射した赤色光がレンズ２２に到達する。ここで１行目から３行目の光電変換素子２３１にて結像するのは、レンズ２２を挟んで１行目から３行目の光電変換素子２３１に対向する位置にある画像（図２１において黒で塗りつぶされた部分）となる。
【００６０】
赤色光が到達した１行目から３行目の光電変換素子２３１は、光を電気信号に変換して出力する。そして、各光電変換素子２３１から出力された電気信号は、シフトレジスタ２４１に入力されて保持される。
【００６１】
制御部１０は、赤色光を照射する発光ダイオードを点灯させてから予め定められた時間が経過すると、赤色光を照射する発光ダイオードを消灯させる（ステップＳＢ４）。次に制御部１０は、シフトレジスタ２４１を制御し、シフトレジスタ２４１に保持されている各光電変換素子からの電気信号を画像処理部５０へ出力させる（ステップＳＢ５）。シフトレジスタ２４１から出力された電気信号が画像処理部５０に入力されると、画像処理部５０は、入力された電気信号をデジタル化し、副走査方向の１ライン目の赤の成分の画像データを生成する。
【００６２】
次に制御部１０は、緑色光による画像の読み取りを行う（ステップＳＥ４）。ここで、制御部１０は、スイッチ２４０−２〜２４０−４を閉とし、スイッチ２４０−１、スイッチ２４０−５、スイッチ２４０−６を開とする（図８：ステップＳＣ１）。また、制御部１０は、シフトレジスタ２４１をリセットする（ステップＳＣ２）。
【００６３】
次に制御部１０は、読取部２０が赤色光を照射する発光ダイオードの点灯を開始した時の位置から副走査方向へ１／４画素分移動すると、光照射部２１Ａと光照射部２１Ｂを制御して緑色光を照射する発光ダイオードのみを点灯させる（ステップＳＣ３）。すると、原稿２で反射した緑色光がレンズ２２に到達する。ここでレンズ２２は、等倍の正立像を結像するレンズであるため、図２２に示したように、２行目から４行目の光電変換素子２３１にて結像するのは、レンズ２２を挟んで２行目から４行目の光電変換素子２３１に対向する位置にある画像（図２２において黒で塗りつぶされた部分）となる。
なお、１つの光電変換素子２３１の副走査方向の幅は約１／４画素分であり、読取部２０は、赤色光が原稿２に照射された時より副走査方向へ１／４画素分移動しているため、２行目〜４行目の光電変換素子２３１においては、赤色光で読み取った部分の画像と同じ部分の画像が結像する。
【００６４】
緑色光が到達した２行目から４行目の光電変換素子２３１は、光を電気信号に変換して出力する。そして、各光電変換素子２３１から出力された電気信号は、シフトレジスタ２４１に入力されて保持される。
【００６５】
制御部１０は、緑色光を照射する発光ダイオードを点灯させてから予め定められた時間が経過すると、緑色光を照射する発光ダイオードを消灯させる（ステップＳＣ４）。次に制御部１０は、シフトレジスタ２４１を制御し、シフトレジスタ２４１に保持されている各光電変換素子からの電気信号を画像処理部５０へ出力させる（ステップＳＣ５）。シフトレジスタ２４１から出力された電気信号が画像処理部５０に入力されると、画像処理部５０は、入力された電気信号をデジタル化して副走査方向の１ライン目の緑の成分の画像データを生成する。
【００６６】
次に制御部１０は、青色光による画像の読み取りを行う（ステップＳＥ５）。ここで制御部１０は、スイッチ２４０−３〜２４０−５を閉とし、スイッチ２４０−１、スイッチ２４０−２およびスイッチ２４０−６を開とする（図９ステップＳＤ１）。また、制御部１０は、シフトレジスタ２４１をリセットする（ステップＳＤ２）。
【００６７】
次に、制御部１０は、読取部２０が緑色光を照射する発光ダイオードの点灯を開始した時の位置から副走査方向へ１／４画素分移動すると、光照射部２１Ａと光照射部２１Ｂを制御して青色光を照射する発光ダイオードのみを点灯させる（ステップＳＤ３）。すると、原稿２で反射した青色光がレンズ２２に到達する。ここでレンズ２２は、等倍の正立像を結像するレンズであるため、図２３に示したように、３行目から５行目の光電変換素子２３１にて結像するのは、レンズ２２を挟んで３行目から５行目の光電変換素子２３１に対向する位置にある画像（図２３において黒で塗りつぶされた部分）となる。
なお、読取部２０は、緑色光が原稿２に照射された時より副走査方向へ１／４画素分移動しているため、３行目〜５行目の光電変換素子２３１においては、緑色光で読み取った部分の画像と同じ部分の画像が結像する。
【００６８】
青色光が到達した３行目から５行目の光電変換素子２３１は、光を電気信号に変換して出力する。そして、各光電変換素子２３１から出力された電気信号は、シフトレジスタ２４１に入力されて保持される。
【００６９】
制御部１０は、青色光を照射する発光ダイオードを点灯させてから予め定められた時間が経過すると、青色光を照射する発光ダイオードを消灯させる（ステップＳＤ４）。次に制御部１０は、シフトレジスタ２４１を制御し、シフトレジスタ２４１に保持されている各光電変換素子からの電気信号を画像処理部５０へ出力させる（ステップＳＤ５）。シフトレジスタ２４１から出力された電気信号が画像処理部５０に入力されると、画像処理部５０は、入力された電気信号をデジタル化して副走査方向の１ライン目の青の成分の画像データを生成する。
【００７０】
次に制御部１０は、青緑の光による画像の読み取りを行う（ステップＳＥ６）。ここで制御部１０は、スイッチ２４０−４〜２４０−６を閉とし、スイッチ２４０−１〜２４０−３を開とする（図２５：ステップＳＦ１）。また、制御部１０は、シフトレジスタ２４１をリセットする（ステップＳＦ２）。
【００７１】
次に、制御部１０は、読取部２０が青色光を照射する発光ダイオードの点灯を開始した時の位置から副走査方向へ１／４画素分移動すると、光照射部２１Ａと光照射部２１Ｂを制御して青緑の光を照射する発光ダイオードのみを点灯させる（ステップＳＦ３）。すると、原稿２で反射した青緑の光がレンズ２２に到達する。ここでレンズ２２は、等倍の正立像を結像するレンズであるため、図２４に示したように、４行目から６行目の光電変換素子２３１にて結像するのは、レンズ２２を挟んで４行目から６行目の光電変換素子２３１に対向する位置にある画像（図２４において黒で塗りつぶされた部分）となる。
なお、１つの光電変換素子２３１の副走査方向の幅は約１／４画素分であり、読取部２０は、青色光が原稿２に照射された時より副走査方向へ１／４画素分移動しているため、４行目〜６行目の光電変換素子２３１においては、青色光で読み取った部分の画像と同じ部分の画像が結像する。
【００７２】
光が到達した４行目から６行目の光電変換素子２３１は、光を電気信号に変換して出力する。そして、各光電変換素子２３１から出力された電気信号は、シフトレジスタ２４１に入力されて保持される。
【００７３】
制御部１０は、青緑の光を照射する発光ダイオードを点灯させてから予め定められた時間が経過すると、青緑の光を照射する発光ダイオードを消灯させる（ステップＳＦ４）。次に制御部１０は、シフトレジスタ２４１を制御し、シフトレジスタ２４１に保持されている各光電変換素子からの電気信号を画像処理部５０へ出力させる。シフトレジスタ２４１から出力された電気信号が画像処理部５０に入力されると、画像処理部５０は、入力された電気信号をデジタル化して副走査方向の１ライン目の青緑の成分の画像データを生成する。
【００７４】
制御部１０は、１ライン分の画像について、赤、緑、青および青緑の各色で読み取りを終えると、読取部２０が画像の読み取りの終了位置に達するまで、ステップＳＥ３からステップＳＥ６までの処理を繰り返し、２ライン目以降の画像を読み取る。
そして、読取部２０が画像の読み取りの終了位置に到達すると（ステップＳＥ７；ＹＥＳ）、画像処理部５０においては、原稿２に形成されている画像について、赤の反射光で生成された画像データ、緑の反射光で生成された画像データ、青の反射光で生成された画像データおよび青緑の反射光で生成された画像データとが保持された状態となる。
【００７５】
以上説明したように、本実施形態によれば、原稿２と読取部２０とが相対的に移動しても、赤、緑、青、青緑の各色の光で同じ位置の画像を読み取れるので、読み取ったカラー画像データにおける位置ずれを少なくすることができる。
また、第１実施形態と比較して、さらに青緑の反射光で画像を読み取るため、読み取った画像データを処理することで、より原稿２の画像の色に忠実な画像データを再現することが可能となる。
【００７６】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００７７】
上述した画像読取装置１は、複写機やファクシミリ装置に組み合わせ、画像読取装置１で読み取った画像を複写したり、ファクシミリ送信したりするようにしてもよい。
【００７８】
上述した実施形態においては、画像の読み取りの解像度を６００ｄｐｉとしており、この解像度に合わせて光電変換素子２３１のサイズを設定しているが、画像の読み取りの解像度は６００ｄｐｉに限定されるものではなく、６００ｄｐｉより高解像度または低解像度であってもよい。なお、解像度を６００ｄｐｉ以外とする場合、１画素の大きさに合わせて光電変換素子２３１のサイズを設定する。
【００７９】
上述した実施形態においては、光電変換素子２３１はＣＭＯＳイメージセンサーであり、各光電変換素子からの電気信号の出力／非出力を制御できるため、例えば、赤の反射光を受光部２３で受光する際には、赤の反射光の受光に関わらない４行目と５行目の光電変換素子２３１から電気信号が出力されないように各光電変換素子を制御してもよい。
上述した実施形態において、光電変換素子２３１は、ＣＭＯＳイメージセンサであるが、光を電気信号に変換する素子であれば、ＣＣＤ（Charge Coupled Device）イメージセンサなど他の素子であってもよい。
【００８０】
上述した実施形態においては、光照射部２１Ａ、２１Ｂは複数の発光ダイオードが並べられた構造となっているが、光照射部としては、レンズ２２に沿って配置された導光板に発光ダイオードの光を照射し、導光体で拡散した光を原稿２に照射する構成であってもよい。
また、赤、緑、青、青緑の光を発する蛍光管をレンズ２２に沿って配置し、蛍光管から発せられた光を原稿２に照射するようにしてもよい。
また、上述した実施形態においては、原稿２に照射される光は赤、緑および青の可視光となっているが、原稿２に照射する光は、可視光に限定されるものではなく例えば紫外光や赤外光であってもよい。また、光照射部２１Ａ、２１Ｂの発光ダイオードの光を可視光とする場合、各発光ダイオードから照射される光は、赤、緑、青に限定されず、これらの色以外であってもよい。
また、上述した実施形態では画像読取装置１は、光照射部２１Ａと光照射部２１Ｂの２つの光照射部を有しているが、いずれか一方の光照射部のみを有する構成であってもよい。
また、本発明においては、光照射部２１Ａ、２１Ｂから照射される光の種類を５種類以上とし、光の種類数に応じて受光部２３に配置される光電変換素子の行数を増やしてもよい。
【００８１】
本発明においては、センサ基板２３０において光電変換素子２３１を３行ｎ列で配置し、光照射部２１Ａ、２１Ｂは２色の光を照射する構成としてもよい。この構成においては、一方の色の光を原稿２に照射した時に１行目と２行目の光電変換素子２３１で原稿２において反射した光を受光し、他方の色の光を原稿２に照射した時に２行目と３行目の光電変換素子２３１で原稿２において反射した光を受光する。この構成によれば、２色の成分で表された画像を得ることができる。
【００８２】
上述した実施形態は、原稿２の下に位置する光電変換素子２３１が原稿２で反射した光を受光する所謂密着型と呼ばれるスキャナーであるが、スキャナーの構成は密着型に限定されるものではなく縮小光学系を採用したスキャナーであってもよい。
例えば、縮小光学系を採用したスキャナーにおいては、原稿２で反射して複数の鏡で案内された反射光を受光する撮像部を上述した受光部２３と同様の複数行複数列の構成とし、受光部２３の受光部２３の前にレンズ２２を配置する構成としてもよい。
【００８３】
上述した実施形態においては、原稿２を固定して読取部２０を移動して原稿２の画像を読み取る構成となっているが、読取部２０を固定し、原稿２を移動させる移動部の一例である自動原稿送り装置などにより原稿２を読取部２０に対して相対的に移動させて原稿２の画像を読み取る構成であってもよい。例えば、図１０において読取部２０を固定した場合、原稿２を図中の右側から左側へ移動させ、原稿２の画像を読み取る。
【００８４】
上述した実施形態においては、行列で配置された光電変換素子２３１から出力される信号について、同じ列の光電変換素子２３１から出力される信号を加算してシフトレジスタ２４１に入力されるようにしてもよい。
この場合、例えばスイッチ２４０−１〜２４０−３が閉となった場合、１列目の光電変換素子２３１−１１〜２３１−１３から出力される信号を加算してシフトレジスタ２４１に入力する。また、他の列についても同様に信号を加算してシフトレジスタに入力する。
【符号の説明】
【００８５】
１・・・画像読取装置、２・・・原稿、３・・・筐体、４・・・ガラス板、５・・・押さえ板、１０・・・制御部、２０・・・読取部、２１Ａ，２１Ｂ・・・光照射部、２２・・・レンズ、２３・・・受光部、２４・・・フレーム、２５・・・選択部、３０・・・操作部、４０・・・駆動部、５０・・・画像処理部、６０・・・インターフェース部、２３０，２３０Ａ，２３０Ｂ・・・センサ基板、２３１・・・光電変換素子、２４０−１〜２４０−６・・・スイッチ
【図１】
2011055266.tif 000003
【図２】
2011055266.tif 000004
【図３】
2011055266.tif 000005
【図４】
2011055266.tif 000006
【図５】
2011055266.tif 000007
【図６】
2011055266.tif 000008
【図７】
2011055266.tif 000009
【図８】
2011055266.tif 000010
【図９】
2011055266.tif 000011
【図１０】
2011055266.tif 000012
【図１１】
2011055266.tif 000013
【図１２】
2011055266.tif 000014
【図１３】
2011055266.tif 000015
【図１４】
2011055266.tif 000016
【図１５】
2011055266.tif 000017
【図１６】
2011055266.tif 000018
【図１７】
2011055266.tif 000019
【図１８】
2011055266.tif 000020
【図１９】
2011055266.tif 000021
【図２０】
2011055266.tif 000022
【図２１】
2011055266.tif 000023
【図２２】
2011055266.tif 000024
【図２３】
2011055266.tif 000025
【図２４】
2011055266.tif 000026
【図２５】
2011055266.tif 000027